(57)【要約】  ガス注入システムは、２次電子によってイオン化されて試料表面の電荷を中和するのに十分なガス濃度を有する局所領域を、試料表面に提供する。いくつかの実施形態では、ガス集中構造体が表面の近くにガスを集中する。ガス集中構造体の任意選択の穴が、シュラウド包囲領域の内側に荷電粒子ビームが衝撃することを可能にする。いくつかの実施形態では、表面の近くに配置された陽極が、加工物表面へ戻って電荷を中和するイオンの数を増加させる。いくつかの実施形態では陽極がガス注入システムの一部であり、いくつかの実施形態では陽極が別個の構造体である。
2015524987.tif 000002
【特許請求の範囲】
【請求項１】
真空室内の加工物表面にガスを供給する装置であって、
前記加工物のシュラウド包囲領域に前記ガスを集中するガス集中構造体であり、前記加工物へ向かうビームを通す開口を有し、前記シュラウド包囲領域が前記加工物の全体よりも小さく、前記開口が、前記開口を通したガス・コンダクタンスを制限するのに十分に小さい、ガス集中構造体と、
前記ガス集中構造体を支持するガス集中構造体支持部材であり、前記加工物上の関心領域の近くに前記ガスを集中するように前記ガス集中構造体を配置するために移動可能なガス集中構造体支持部材と、
前記ガス集中構造体内の空間にガスを供給するガス導管と、
集中した前記ガスのイオン化を引き起こすための電気バイアスを提供する陽極と
を備える装置。
【請求項２】
前記陽極が、前記ガス集中構造体の一部分または全体を含む、請求項１に記載の装置。
【請求項３】
前記陽極が、前記ガス集中構造体とは別個の電極を含む、請求項１に記載の装置。
【請求項４】
前記導管が、前記ガス集中構造体内の空洞を含む、請求項１に記載の装置。
【請求項５】
前記ガス集中構造体支持部材が、使用しないときに前記シュラウドを前記加工物から退ける長手軸に沿った運動を提供するガス集中構造体支持部材駆動機構を備える、請求項１に記載の装置。
【請求項６】
前記シュラウドを衝打している電子を検出する回路をさらに備え、前記電子が検出器信号を構成する、請求項１に記載の装置。
【請求項７】
前記ガス集中構造体の形状が、錐体の一部分、球体の一部分または円柱の少なくとも一部分を含む、請求項１に記載の装置。
【請求項８】
前記ガス集中構造体の少なくとも一部分が中空であり、前記導管からのガスを前記加工物に向かって導くために前記導管と連通している、請求項１に記載の装置。
【請求項９】
荷電粒子源と、
加工物真空室と、
前記荷電粒子源からの荷電粒子を、前記加工物真空室内の加工物に焦束させる集束レンズと、
真空室内の試料表面にガスを供給する請求項１に記載の装置と
を備える荷電粒子ビーム・システム。
【請求項１０】
前記荷電粒子源が電子源を含む、請求項９に記載の荷電粒子ビーム・システム。
【請求項１１】
前記シュラウド内のより高い圧力を維持するために、前記シュラウドと前記加工物の表面との間に、ガスの流れが制限された領域を提供するように、前記加工物の表面の上方に配置されるよう前記シュラウドが適合されている、請求項９に記載の荷電粒子ビーム・システム。
【請求項１２】
ステージ直径を有する試料ステージをさらに備え、前記加工物に最も近づくように適合された前記シュラウドの部分が、前記加工物の前記シュラウド包囲領域の直径に一致するシュラウド直径を有し、前記シュラウド直径が、前記ステージ直径の半分よりも小さい、請求項９に記載の荷電粒子ビーム・システム。
【請求項１３】
前記ガス集中器が、前記荷電粒子ビームを通す開口を含む、請求項９に記載の荷電粒子ビーム・システム。
【請求項１４】
前記ガス集中器が、前記荷電粒子ビームを遮断しないように配置された、請求項９に記載の荷電粒子ビーム・システム。
【請求項１５】
真空室内の加工物表面にガスの集中を提供する装置であって、
真空室内の加工物表面の一部分にガスの集中を提供するガス集中器であり、前記部分が前記表面全体よりも小さい、ガス集中器と、
前記ガス集中器にガスを供給するガス導管と、
試料表面に対する電気バイアスを提供する陽極であり、電子を加速させて、集中した前記ガス中でガス・カスケード増幅を提供する陽極と
を備える装置。
【請求項１６】
前記陽極が、前記ガス集中器の一部分を含む、請求項１５に記載の装置。
【請求項１７】
前記陽極が、前記ガス集中器とは別個の電極を含む、請求項１５に記載の装置。
【請求項１８】
前記ガス集中器が、１次ビームを通す開口を有するシュラウドを含む、請求項１５に記載の装置。
【請求項１９】
前記ガス集中器がシュラウドを含まない、請求項１５に記載の装置。
【請求項２０】
荷電粒子ビーム・システムを動作させて試料真空室内の加工物を処理する方法であって、
加工物表面全体よりも小さい加工物表面の一部分に、前記試料真空室内の他の位置のガスの集中よりも高いガスの集中を提供すること、
前記加工物に向かって荷電粒子ビームを導き、前記荷電粒子ビームが集中した前記ガス中を通過すること、
前記荷電粒子ビームの衝撃によって発生した２次電子を陽極に向かって引き寄せることであり、前記２次電子が、集中した前記ガス中にイオン化カスケード電流を生じさせること、および
前記イオン化カスケード電流を前記陽極において検出して、画像を形成すること
を含む方法。
【請求項２１】
前記加工物表面全体よりも小さい加工物表面の一部分に、前記試料真空室内の他の位置のガスの集中よりも高いガスの集中を提供することが、前記ガスを集中するシュラウドを提供することを含み、前記シュラウドが、前記荷電粒子ビームを通す開口を有する、請求項２０に記載の方法。
【請求項２２】
前記イオン化によるイオン化されたガスまたは電子を使用して、前記加工物の非導電性部分上の電荷を中和することをさらに含む、請求項２０に記載の方法。
【請求項２３】
前記加工物の一部分の上方にシュラウドを、前記シュラウドと前記加工物の間のガス流が、前記シュラウドの内部と前記加工物から離れた前記加工物真空室との間の１０倍の圧力差を維持するのに十分に小さくなるように配置することをさらに含む、請求項２０に記載の方法。
【請求項２４】
前記シュラウドが前記加工物と接触する、請求項２３に記載の方法。
【請求項２５】
シュラウドで包囲された領域内から前記加工物真空室の残りの部分へのガス・コンダクタンスを制限するため、前記シュラウドが、前記加工物から上方へ０．５ｍｍ未満のところに配置された、請求項２３に記載の方法。
【発明の詳細な説明】
【技術分野】
【０００１】
本発明は荷電粒子ビーム・システムに関し、詳細には、ガス環境中で加工物を処理することを可能にする荷電粒子ビーム・システムに関する。
【背景技術】
【０００２】
走査電子顕微鏡（「ＳＥＭ」）では、調査対象の試料の領域上で１次電子ビームが走査される。電子が試料に衝撃した際に放出されるエネルギーによって、試料中の他の荷電粒子が解放される。これらの２次粒子の量およびエネルギーは、試料の性質、構造および組成に関する情報を提供する。用語「試料」は従来、荷電粒子ビーム・システム内で処理または観察されている任意の加工物を指すために使用されており、本明細書で使用されるとき、この用語は一切の加工物を含み、より大きな母集団を代表するものとして使用されている試料だけに限定されない。本明細書で使用されるとき、用語「２次電子」は、後方散乱した１次電子および試料から生じた電子を含む。２次電子を検出するため、ＳＥＭはしばしば、１つまたは複数の２次電子検出器を備える。
【０００３】
従来のＳＥＭでは、ガス分子による１次電子ビームの散乱を防ぎ、２次電子の捕集を可能にするため、試料が高真空中に維持される。しかしながら、ビームが試料の非電導性領域を衝打すると、試料は電荷を蓄積する傾向を示し、この電荷が、１次ビームを偏向させ、検出器に到達する２次電子の数に影響を及ぼすことがある。蓄積する電荷の極性は、１次ビーム中の粒子のタイプおよびエネルギー、ならびに加工物材料に依存する。１次ビーム中の電子は負に帯電しているが、衝打するそれぞれの１次電子が２つ以上の２次電子を追い出し、正に帯電した試料を残すことがある。試料上に導電層を堆積させる技法、Ｇｅｒｌａｃｈ他の「Ｔｈｒｏｕｇｈ−ｔｈｅ−ｌｅｎｓ  ｎｅｕｔｒａｌｉｚａｔｉｏｎ  ｆｏｒ  ｃｈａｒｇｅｄ  ｐａｒｔｉｃｌｅ  ｂｅａｍ  ｓｙｓｔｅｍ」という名称の米国特許第６，６８３，３２０号明細書に記載されている、試料に向かって低エネルギー電子を導く技法、および半導体試料に向かって光を導いて光導電性を誘起し、それによって電荷を流出させる技法を含む、試料の帯電を低減させるいくつかの技法が提案されている。
【０００４】
別の解決策は、比較的高い圧力の下に試料を維持するものであり、これは例えば、Ｍａｎｃｕｓｏ他の「Ｓｅｃｏｎｄａｒｙ  Ｅｌｅｃｔｒｏｎ  Ｄｅｔｅｃｔｏｒ  ｆｏｒ  Ｕｓｅ  ｉｎ  ａ  Ｇａｓｅｏｕｓ  Ａｔｍｏｓｐｈｅｒｅ」という名称の米国特許第４，７８５，１８２号明細書に記載されている。このようなデバイスは、高圧走査電子顕微鏡（ｈｉｇｈ−ｐｒｅｓｓｕｒｅ  ｓｃａｎｎｉｎｇ  ｅｌｅｃｔｒｏｎ  ｍｉｃｒｏｓｃｏｐｅ）（ＨＰＳＥＭ）または環境制御型（ｅｎｖｉｒｏｎｍｅｎｔａｌ）走査電子顕微鏡としての方がよく知られている。一例が、ＦＥＩ  ＣｏｍｐａｎｙのＱｕａｎｔａ  ６００  ＥＳＥＭ（登録商標）高圧ＳＥＭである。２次電子は陽極に向かって加速し、途中でガス粒子をイオン化する。イオン化されたガス粒子は、帯電した試料へ引き寄せられ、陽極からは遠ざかり、電荷を中和する。
【０００５】
ＨＰＳＥＭでは、調査対象の試料が、典型的には０．１トル（０．１３ミリバール）から５０トル（６５ミリバール）の間、より典型的には１トル（１．３ミリバール）から３０トル（４０ミリバール）の間の圧力を有するガス雰囲気中に置かれ、それに対して、従来のＳＥＭでは、試料が、これよりもかなり低い圧力、典型的には１０−５トル（１．３×１０−５ミリバール）未満の圧力の真空中に置かれる。電荷中和の他に、ＨＰＳＥＭは、生体試料などの湿った試料および従来のＳＥＭの高真空条件下では画像化するのが難しいと思われる他の試料の電子光学画像を形成する可能性を提供する。ＨＰＳＥＭは、試料をその自然な状態に維持する可能性を提供する。従来のＳＥＭを使用する研究では通常必要であり、試料を変化させる可能性がある不利な乾燥、凍結または真空コーティングに試料をさらす必要がない。
【０００６】
ＨＰＳＥＭでは、２次電子が通常、「ガス・イオン化カスケード増幅（ｇａｓ  ｉｏｎｉｚａｔｉｏｎ  ｃａｓｃａｄｅ  ａｍｐｌｉｆｉｃａｔｉｏｎ）」または「ガス・カスケード増幅」として知られるプロセスを使用して検出される。このプロセスでは、電場によって２次荷電粒子を加速させ、加速した２次荷電粒子は、画像化ガス中のガス分子と衝突して追加の荷電粒子を生成し、それらの追加の荷電粒子は、別のガス分子と衝突してさらに追加の荷電粒子を生み出す。このカスケードが継続すると、ついには、大幅に増加した荷電粒子が、検出器の陽極で電流として検出される。いくつかの実施形態では、試料表面からのそれぞれの２次電子が、ガス圧および電極構成に応じて、例えば２０個超、１００個超または１，０００個超の追加の電子を発生させる。ガス・カスケード増幅検出器は通常、シンチレータと光電子増倍管の組合せを使用するエバーハート−ソーンリー（Ｅｖｅｒｈａｒｔ−Ｔｈｏｒｎｌｅｙ）検出器などの従来の高真空検出器ほどには高い分解能または大きな増幅を提供しない。
【０００７】
ＨＰＳＥＭは、圧力制限開口（ｐｒｅｓｓｕｒｅ−ｌｉｍｉｔｉｎｇ  ａｐｅｒｔｕｒｅ）（ＰＬＡ）を使用することによって、高ガス圧の領域を試料室だけに限定して、集束カラム内を高真空に維持する。ガス分子は１次電子ビームを散乱させる。そのため、圧力制限開口は、高圧領域内を１次電子ビームが移動する距離を最小化して１次ビームの散乱を低減させ、同時に２次電子信号を適切にガス・カスケード増幅するのに十分な、試料と検出器の間の移動距離を提供するように配置される。
【０００８】
米国特許第４，７８５，１８２号明細書に記載されているＨＰＳＥＭは、圧力制限開口を有する真空エンベロープ（ｖａｃｕｕｍ  ｅｎｖｅｌｏｐｅ）と、真空エンベロープ内に位置し、電子を発射することができる電子ビーム源と、真空エンベロープ内に位置し、電子源によって発射された電子ビームを圧力制限開口を通して導くことができる１つまたは複数の集束レンズと、真空エンベロープ内に位置し、電子ビームを走査することができるビーム偏向器と、この高真空エンベロープの外側に配置された試料プラットホームを含み、所望の圧力のガスで覆われた状態に試料を維持することができる試料室とを備える。
【０００９】
電子ビーム、イオン・ビームなどの荷電粒子ビームを使用して化学反応を誘起し、それによって試料をエッチングしまたは試料上に材料を堆積させることもできる。このようなプロセスは例えば、Ｍｕｓｉｌ他の「Ｅｌｅｃｔｒｏｎ  Ｂｅａｍ  Ｐｒｏｃｅｓｓｉｎｇ」という名称の米国特許第６，７５３，５３８号明細書に記載されている。基板の存在下で荷電粒子ビームがプロセス・ガスと相互作用して化学反応を生み出すこのプロセスは、「ビーム・ケミストリ（ｂｅａｍ  ｃｈｅｍｉｓｔｒｙ）」と呼ばれる。
【００１０】
本出願の譲受人に譲渡された米国特許公開第２０１１／００３１３９４号明細書は、ＨＰＳＥＭ動作を可能にする環境制御型セル（ｅｎｖｉｒｏｎｍｅｎｔａｌ  ｃｅｌｌ）のいくつかの構成を記載している。用語「環境制御型セル」は、試料を収容し、試料の周囲に、ある環境、通常は、環境制御型セルがその中に置かれた真空室内に存在する環境とは異なる環境を提供するエンクロージャ（ｅｎｃｌｏｓｕｒｅ）を意味するために使用される。環境制御型セルは、試料環境の制御を強化し、ＨＰＳＥＭ処理中に存在するガス不純物の濃度を低下させ、ＨＰＳＥＭプロセス室の容積および内部表面積を低減させることによって、上記の問題のうちのいくつかの問題を解決することができる。しかしながら、環境制御型セルによるそれらの解決策は、高真空ＳＥＭと完全には両立しない。したがって、高真空ＳＥＭ内にＥＳＥＭ環境を提供する方法およびシステムが求められている。
【００１１】
別の環境制御型セルが、米国特許公開第２０１２／０１１２０６２号明細書および米国特許第８，０９３，５５８号明細書に記載されている。高真空ＳＥＭ内で使用するガス注入システムであって、シュラウド型集中器（ｓｈｒｏｕｄ−ｔｙｐｅ  ｃｏｎｃｅｎｔｒａｔｏｒ）を含むガス注入システムが、例えば米国特許第５，８５１，４１３号明細書に記載されている。
【先行技術文献】
【特許文献】
【００１２】
【特許文献１】米国特許第６，６８３，３２０号明細書
【特許文献２】米国特許第４，７８５，１８２号明細書
【特許文献３】米国特許第６，７５３，５３８号明細書
【特許文献４】米国特許公開第２０１１／００３１３９４号明細書明細書
【特許文献５】米国特許公開第２０１２／０１１２０６２号
【特許文献６】米国特許第８，０９３，５５８号明細書
【特許文献７】米国特許第５，８５１，４１３号明細書
【特許文献８】米国特許第６，９７２，４１２号明細書
【発明の概要】
【発明が解決しようとする課題】
【００１３】
本発明の目的は、高真空ＳＥＭシステム内の試料の近くにガス領域を提供して、室またはセルの全体をガスで満たす必要をなくし、試料の処理を容易にすることにある。
【課題を解決するための手段】
【００１４】
本発明の好ましい一実施形態によれば、ガス環境中で試料表面の一部分を処理することを可能にするガス注入システム（ｇａｓ  ｉｎｊｅｃｔｉｏｎ  ｓｙｓｔｅｍ）（ＧＩＳ）が提供される。一実施形態では、このＧＩＳが、試料の関心領域にガス流を導く針と、ビームによって衝打されるエリア内にガスを集中する構造体とを備える。いくつかの実施形態では、この構造体が、電子ビームを通す開口を含む。試料表面のそばでのガスのイオン化は、試料に引き寄せられて電荷蓄積を中和する荷電粒子を供給する。いくつかの実施形態では、正に帯電した粒子を試料に向かって導くように、および／または２次電子および／または後方散乱電子を検出する検出器の働きをするように、針または構造体の一部分が、試料に対して電気的にバイアスされる。針を試料から退けると、このシステムは、従来の高真空機器として動作することができる。この構造体によって集中するガスは、ビームの存在下で分解して加工物をエッチングしまたは加工物に堆積させる前駆体ガスとすることができる。
【００１５】
以上では、以下の本発明の詳細な説明をより十分に理解できるように、本発明の特徴および技術上の利点をかなり大まかに概説した。以下では、本発明の追加の特徴および利点を説明する。開示される着想および特定の実施形態を、本発明の目的と同じ目的を達成するために他の構造体を変更しまたは設計するベースとして容易に利用することができることを当業者は理解すべきである。さらに、このような等価の構造体は、添付の特許請求の範囲に記載された本発明の趣旨および範囲を逸脱しないことを当業者は理解すべきである。
【００１６】
次に、本発明および本発明の利点のより完全な理解のため、添付図面に関して書かれた以下の説明を参照する。
【図面の簡単な説明】
【００１７】
【図１】本発明の一実施形態に基づく針およびシュラウドを示す図である。
【図２】図１の針およびシュラウドを含む荷電粒子ビーム・システムを示す図である。
【図３】半球形針構造体を備える本発明の別の実施形態を示す図である。
【図４】ガス注入針が試料表面を取り囲む、別個のシュラウドを持たない実施形態を示す図である。
【図５】針が追加の経路長を提供する別の実施形態を示す図である。
【図６】別個のシュラウドを持たないようにガス注入針が構成され、ガス注入針が試料を取り囲まない実施形態を示す図である。
【発明を実施するための形態】
【００１８】
添付図面は原寸に比例して示すことを意図していない。これらの図面では、さまざまな図に示されている同一の構成要素またはほぼ同一の構成要素が、同様の符号によって示されている。見やすくするため、全ての図面の全ての構成要素に符号が付けられているわけではない。
【００１９】
本発明のいくつかの実施形態は、ユーザが、加工物上に電荷を蓄積させることなく絶縁試料を処理することを可能にする。本発明のいくつかの実施形態は、試料表面の小さなエリアにガスを閉じ込めることによって、および従来の高真空顕微鏡操作を可能にするために試料から容易に遠ざけられることによって、高真空走査電子顕微鏡と両立する。本発明のいくつかの実施形態は、２次電子のガス・カスケード増幅を使用して試料を画像化すること、および湿った試料を低真空環境で処理することを可能にする。本発明のいくつかの実施形態は試料上の電荷を中和する。いくつかの実施形態はさらに、加工物を処理するためにビーム衝撃点の近くの領域に前駆体ガスを供給することができるガス注入システムを提供する。いくつかの実施形態は、ユーザが、例えばシンチレータ−光電子増倍管検出器を使用して高真空モードの高い分解能で試料の画像を形成し、次いでより低分解能のガス・カスケード増幅画像化に切り替えることを可能にする。
【００２０】
従来のＳＥＭでは、絶縁試料を衝打した電子ビームが電荷を蓄積し、蓄積した電荷は、走査する点から電子ビームを偏向させる傾向がある電位を生成する。ビーム衝撃点の上方に局所的な高圧環境を提供することにより、２次電子がガス原子と衝突するため、試料表面の近くに正イオンが形成される。これらの正イオンは、帯電した試料に向かって引き寄せられる。または、これらの正イオンを電場によって試料に向かって導くこともできる。いくつかの実施形態では、針、またはビーム衝撃点の近くの局所領域にガスを集中しまたは封じ込める構造体が、正イオンを追いやって試料を中和する陽極の働きをするように、電気的にバイアスされる。
【００２１】
先行技術の高真空ガス注入システムは通常、試料の上方から試料表面の方向にガスを注入する。このガスは、真空室内で速やかに分散し、そのため、これらのシステムは、ビーム衝撃点の近傍の試料表面のガスを維持するために、比較的大きい一定のガス流を必要とする。このようなシステムは、実際的な電荷中和またはガス・カスケード増幅に十分なガス濃度を供給しない。ガスを集中する構造体を提供することによって、高濃度のイオンを局所的に発生させて、試料の帯電を中和することができる。ＧＩＳ針を使用する先行技術のシステムでは通常、発生したイオンは分散して試料から離れる。米国特許第５，８５１，４１３号明細書などガスを集中する先行技術のシステムは、電荷中和または２次電子検出を提供しない。
【００２２】
バイアスされた陽極をガス送達場所の近くに提供すると、イオン収量が増大し、より良好な電荷制御が可能になる。いくつかの実施形態では、存在するガスがより効果的にイオン化され、試料の帯電した領域に送達されるため、必要なガスの量がより少なくて済む。中性のガス分子は、試料の帯電部分に引き寄せられないが、イオンは、電位差を「見て（ｓｅｅ）」、帯電エリアへ移動する。高いガス濃度の近くでより多くのイオンを生成すると、電荷中和の効果が増大する。試料の近くで陽極を使用すると、低エネルギー電子が引き寄せられ、エネルギー勾配が提供される。このエネルギー勾配は、局所的近傍においてガス分子の雪崩イオン化（ａｖａｌａｎｃｈｅ  ｉｏｎｉｚａｔｉｏｎ）を生じさせる。さらに、後方散乱電子および１次ビーム電子もガスと相互作用して、ガス分子から低エネルギー電子を解放する。陽極によって引き寄せられると、これらの粒子は、雪崩型または電子カスケード型の反応によって、電子とイオンの両方の発生を増大させる。電気的にバイアスされた陽極が存在すると、それぞれのガス分子がイオン化する確率が増大し、それによってより多くのイオンが試料中和に関与する。陽極は、低エネルギー電子を集めることを可能にし、イオンの発生を指数関数的に増大させ、分析電流中で使用されるより大きな電流に対してさえも電荷を中和する。いくつかの実施形態では、シュラウドの全体または一部分にバイアス電圧が印加される。本明細書で使用されるとき、用語「シュラウド」は、試料表面の領域にガスを集中する任意の構造体を指す。形状は問わない。いくつかの実施形態では、ＧＩＳシステムの部分ではない局所陽極にバイアス電圧が印加される。いくつかの実施形態では、陽極がＧＩＳとは別個であり、例えば試料の側方および上方に陽極を配置することができる。「局所」陽極は、試料のビームが導かれる部分の近くにある陽極である。いくつかの実施形態では、陽極と試料表面のこの部分との間の距離が１０ｃｍ未満、５ｃｍ未満、２ｃｍ未満または１ｃｍ未満である。いくつかの実施形態では、陽極と試料表面の間の距離が、対物レンズの端と試料表面の間の距離の２／３未満、１／２未満または１／４未満である。
【００２３】
いくつかの実施形態では、先行技術よりも小さな容積内にガスが局所的に送達される。関心エリアに向かってイオンを導くような形状に作られた陽極に、電気バイアスが供給されることが好ましい。
【００２４】
本発明のいくつかの実施形態は、ビーム衝撃点の近くにガスを集中する構造体を使用する。いくつかの実施形態では、ガス注入針自体が、ガスを集中する形状に作られ、ガスを集中するように配置される。いくつかの実施形態では、ガスを集中するために、シュラウドなどのガス集中構造体またはガス封じ込め構造体が針に取り付けられ、針によって支持される。この構造体は、ＧＩＳ針と組み合わされて、ガスを供給し封じ込めて、ＥＳＥＭ画像化条件および／またはＥＳＥＭ処理条件を高真空ＳＥＭ内に提供する。この構造体は、高真空ＳＥＭを損なうことなしに局所環境内にガスを維持することを可能にする。本発明の実施形態は、単にＥＳＥＭ  ＧＩＳを挿入することによって、高真空モードの高い分解能で画像化する能力、およびＥＳＥＭ環境で電荷制御または処理のために操作する能力を、ユーザに提供する。
【００２５】
この針または他の構造体は、電子ビームを通す開口を含むことができる。このガス集中の限局された態様は、ビーム衝撃点のところにＥＳＥＭに似た環境を生み出すことを可能にし、室またはセルの全体を高圧ガスで満たす必要をなくす。一実施形態では、針の先端に対する「同軸針」型の幾何形状を有するＧＩＳ針が、ガス流を関心領域に局所的に導いてガス流を集中し、電荷中和および信号捕集を改善する。この針は、真空室の壁から針を電気的に分離して針または針に取り付けられた構造体を帯電させることができるようにする機構によって、真空室の壁に支持されることが好ましい。針は次いで、ガス源としてだけではなく、正イオンが試料へ戻る原動力として、およびＥＳＥＭ検出器としても機能する。この針を、ガス処理ハードウェアとＥＳＥＭ検出器用の接続とを収容した改変されたＧＩＳマウントによって支持することができる。
【００２６】
先行技術のＥＳＥＭセルでは、試料全体がセル内に配置され、加工物表面全体がセル内のガスにさらされる。本発明のいくつかの実施形態では、加工物表面の一部分の上方にガス集中構造体が配置され、そのため、加工物のガス集中構造体に近い部分またはガス集中構造体の下の部分、すなわち「シュラウドで包囲された領域（ｓｈｒｏｕｄｅｄ  ｒｅｇｉｏｎ）」だけが高濃度のガスにさらされる。いくつかの実施形態では、シュラウドの底部が、加工物表面の近くにまたは加工物表面と接触して配置され、そのため、シュラウドの底部と加工物の間のガス・コンダクタンスが小さくなり、それによって、シュラウド包囲領域とシュラウドから離れた加工物真空室との間の少なくとも１０倍の圧力差が提供される。電子ビーム用の穴が提供される場合には、その穴も、ガス・コンダクタンスを制限し、上記の圧力差を維持するために十分に小さい。
【００２７】
いくつかの実施形態では、加工物真空室内の加工物ステージ上に加工物が配置され、ガス集中エリアまたはシュラウド包囲領域が、試料ステージの面積の１／２未満である。ガス集中領域またはシュラウド包囲領域の直径が、ステージの面積の１／４未満または１／１０未満であるとより好ましい。ガス集中領域またはシュラウド包囲領域は、３ｍｍ２未満であることが好ましく、２ｍｍ２未満であるとより好ましく、１ｍｍ２未満であるとより一層好ましい。
【００２８】
いくつかの実施形態では、ＥＳＥＭ  ＧＩＳが、２次電子の検出器としても機能し、または電荷中和のために追加のイオンを発生させるようにも機能する。ガス集中構造体または針の全体または一部分を帯電させて、２次電子を引き寄せ検出する陽極の働きをするようにすることができる。試料と陽極または検出器電極との間に局所的にガスを集中することによって、改良された検出が可能になる。１次電子ビームが試料を衝打した後、解放された２次電子が陽極に向かって移動し、２次電子の経路上のガス分子と衝突する。これらの衝突の結果、娘電子（ｄａｕｇｈｔｅｒ  ｅｌｅｃｔｒｏｎ）として一般に知られている新たな電子が解放され、それらの電子も陽極の方向に移動する。これらの新たに解放された電子は、２次電子信号のガス増幅が起こるように、他のガス分子と再度衝突する。用語２次電子は、娘電子および反射された１次ビーム電子を含むように使用される。
【００２９】
２次電子が陽極まで移動する距離が長いほど、衝突の回数が増え、増幅の量が大きくなる。いくつかの実施形態は、それによって試料からの２次電子が、シュラウドへ向かう途上、螺旋形の経路をたどる磁場を含む。このようにすると２次電子が移動する距離が長くなり、その結果、衝突確率および増幅率（ａｍｐｌｉｆｉｃａｔｉｏｎ  ｆａｃｔｏｒ）が増大する。１次ビームを焦束させる目的に使用されるレンズがこの磁場を提供してもよい。Ｓｃｈｏｌｔｚの米国特許第６，９７２，４１２号明細書に記載されているとおり、磁気ペニング効果（ｍａｇｎｅｔｉｃ  Ｐｅｎｎｉｎｇ  ｅｆｆｅｃ）もしくはマグネトロン効果またはその両方を使用して、２次電子および娘電子を軸方向振動もしくは半径方向振動またはその両方にかけて、経路長を長くし、衝突の回数およびガス増幅を増大させることによって、増幅を増大させるように、電場、磁場および開口を構成することができる。このように、本発明は、ＥＳＥＭ環境の利点、ならびに改良された検出手段および非導電性試料の中和能力を提供し、同時に、高真空ＳＥＭの高い分解能を維持する。
【００３０】
図１は、ガス集中構造体内、この場合にはシュラウド１０６内のシュラウド包囲領域１０４にガスを供給する針１０２を含むＧＩＳ１００を示す。シュラウド１０６は、シュラウド包囲領域内の電子ビーム１０８の衝撃点の近くにガスを集中し、試料１１０の全体および周囲の真空室１１２を高濃度のガスにさらさないことを可能にする。シュラウド１０６の開口１１４は、電子ビーム１０８が試料１１０に衝撃することを可能にする。開口１１４は、走査角度範囲全体にわたって電子ビームを通すには十分に大きいが、シュラウド包囲領域１０４からＳＥＭの真空室１１２の残りの部分へのガス・コンダクタンスを制限するのに十分に小さい。開口を画定するシュラウドの部分は、イオン・ビームによる浸食（ｅｒｏｓｉｏｎ）に耐える十分に厚いものであることが好ましい。シュラウド１０６は、シュラウドの底部と試料の間のガス・コンダクタンスが小さくなる、試料に十分に近い位置に置かれることが好ましい。いくつかの実施形態では、シュラウドが試料表面に触れることができる。シュラウド包囲領域１０４内にガスを集中すると、電荷を中和するためのイオンと画像化のための娘電子とを生成する、２次電子とガスの間の適切な相互作用が生じ、同時に、真空室の残りの部分のガス圧が低下する。
【００３１】
シュラウド包囲領域から真空室へのコンダクタンスは小さいため、シュラウド包囲領域１０４内の比較的高い圧力を維持するのに必要なガス流は少ない。試料真空室内の圧力を１×１０−５から１×１０−７ミリバールの間に維持するためには、シュラウド内の圧力が１×１０−４ミリバール未満であることが好ましく、１×１０−３ミリバール未満であるとより好ましく、１×１０−２ミリバール未満であると最も好ましい。高真空ＳＥＭ内の先行技術のＧＩＳでは、ＧＩＳが動作しているときの試料室内の典型的なガス圧が、１×１０−５から１×１０−６ミリバールの間である。針１０２は、試料室の外側のガス源に接続されていることが好ましい。シュラウド内の領域に異なるガスを供給するため、針を、複数のガス源に選択的に接続することができる。電荷中和および画像化のための好ましいガスは、水、亜酸化窒素、アンモニア、酸素などである。このガスは容易にイオン化され、衝突カスケードによる良好な信号増幅を提供することが好ましい。堆積またはエッチングに関しては、加工物材料および所望の処理に応じた適当な前駆体ガスを選択するとこができる。
【００３２】
シュラウド１０６は、導体１３２を介して電圧源１３４に接続されていることが好ましい。電圧源１３４は、シュラウドが陽極の働きをするような所望の電圧にシュラウドをバイアスすることを可能にする。バイアスされているとき、シュラウドは陽極の働きをし、電子とガス原子との衝突によって生じた正イオンを試料表面に向かって下方へ追いやり、それによって試料電荷を中和する。いくつかの実施形態では、シュラウド全体が導電性であり、シュラウド全体がバイアスされる。他の実施形態では、シュラウドの一部分だけがバイアスされる。シュラウドは通常、使用されるガスおよび試料の組成に応じて１０Ｖから１０，０００Ｖの間の電圧にバイアスされる。当業者は、試料上の電荷を観察することによって適切なバイアス電圧を容易に決定することができる。ある種の実施形態では、シュラウド１０６が、２次電子の検出器の働きもする。シュラウドがバイアスされて陽極の働きをしているときには、シュラウド１０６と試料１１０の間の電位差が、試料１１０から放出された２次電子をシュラウドに向かって加速させる。それらの２次イオンはガス分子と衝突し、それらのガス分子はイオン化されて追加の電子を解放し、解放された電子は加速し、より多くのガス分子をイオン化し、それによって衝突カスケードを介して２次電子信号を増幅する。シュラウド１０６は、導体１３２を介して画像化コントローラ１４２に接続されており、その結果、２次電子信号が検出される。このように、本出願の出願人は、ガス注入とＥＳＥＭ検出を組み合わせた新規のシステムを見出した。
【００３３】
図２は、荷電粒子ビーム・システム２００内に配置された図１のＧＩＳ１００を示す。荷電粒子ビーム・システム２００は荷電粒子ビーム・カラム２０２を含み、荷電粒子ビーム・カラム２０２は、荷電粒子ビーム源２０４と、偏向器２０８と、極片２１２を含む対物レンズ２１０とを備え、これらは全て光軸２１４上で一直線に並んでいる。試料室１１２は、光軸に対する第１の平行移動軸または回転軸および第２の平行移動軸または回転軸を少なくとも有する試料運動ステージ２２４を含む。
【００３４】
図３は、試料の上方でのガスの封じ込めを針自体が提供する別の実施形態を示す。針３０２は、外殻３１８と同心の内殻３１６からなる中空半球形構造体３１４に接続している。ガス３０６は針３０２を通って流入し、次いで半球形構造体３１４の全体に流れて、小さな穿孔３２０を通して試料にガスを送達する。半球形構造体３１４は、試料の電荷中和を可能にするようにバイアスされる。
【００３５】
図４は、別個のシュラウドを持たないガス注入針４０２が、試料１１０の表面に高濃度のガスを供給するように構成された、ＧＩＳの別の実施形態４００を示す。電子ビーム１０８は、針４０２の開口４０４を通過する。針４０２は、試料１１０と接触しているかまたは試料１１０のすぐ近くに位置する。ガス４０６は導管４１２を通って針に入る。針４０２は、ビーム１０８が導かれる試料表面のシュラウド包囲領域４１４を取り囲む。この針の形状がガスの集中を提供し、ガス増幅領域４１６からのガス・コンダクタンスを制限して、ガスのイオン化および電荷中和を補助する。この実施形態では、針４０２の内部のガス増幅領域４０８から真空室１２２（図２）へのガス・コンダクタンスを低減させるために、針４０２の端が、テーパ、好ましくは針の端が試料表面に対して平行になるようなテーパを有する。いくつかの実施形態では、針４０２が、加工物１１０の表面に触れて、電子ビームの衝撃点から電荷を流出させる導電性経路を提供することができ、その一方で、ガスは、衝撃点の電荷および衝撃点のすぐ周辺の領域の電荷を中和する。ガス増幅領域４１６の端に配置された陽極４２０が、針４０２の内部領域を通して２次電子を引き寄せる。針４０２の内部領域は、ガス増幅のための比較的長い経路長を提供する。２次電子を管に沿って引き上げ、それらの２次電子が陽極４２０上で捕集されるように、陽極４２０は電気的にバイアスされ、針４０２はバイアスされない。針４２０は電気絶縁材料からなることができ、または、針４２０が導電性である場合には、針４２０が、陽極４２０から電気的に分離される。ガス増幅領域４１６は、２次電子信号を適切に増幅するのに十分なガス・カスケードを提供する十分な長さ、例えば２ｍｍの長さを有する。針４０２は、陽極４２０から電気的に絶縁することができる。
【００３６】
図５は、針５０６を有するガスＧＩＳの別の実施形態５０２を示す。針５０６は、図４の針４０２に似ているが、試料表面に対して平行になるようなテーパを針５０６の端が持たないため、ガスの封じ込めの程度は小さい。ガス５０４は、導管５１０を通って針５０６に入る。針５０６は、試料１１０と陽極５１２の間に、ガス・カスケード増幅のための長いガス増幅領域５０８を提供する。陽極５１２は、管に沿って２次電子を引き上げるように電気的にバイアスされている。
【００３７】
図６に示された別の実施形態では、別個のシュラウドを持たないようにガス注入針６０２が構成され、ガス注入針６０２が試料を取り囲まない。この針は、約６０ミクロンの開口部６０４を有し、針の底面は、針の縦軸に対して１５度の角度に研削されている。針端の底面が加工物表面に対して平行になったことをオペレータが知ることができるように、針の上面に平面を研削して、針の底面の角度に対する基準角を提供することができる。ビーム衝撃点に近い試料表面に開口部６０４が近接していることにより、局所的な高いガス集中が提供される。図６の実施形態は、ガスが封じ込められておらず絶えまなく消散するため、以前の実施形態よりも大きなガス流を必要とする。
【００３８】
上記の実施形態では、本発明を使用して、非導電性加工物上の電荷を中和することを説明したが、生体材料などの湿った試料を見るためまたは堆積もしくはエッチングを誘起するためなど、試料においてガスが存在することが望ましい任意の用途で、本発明の実施形態を使用することができる。
【００３９】
本発明は、発明の多数の態様および幅広い適用可能性を有し、上記の例において説明し示した多くの利点を提供することができる。本発明の実施形態は、具体的な用途によって大きく異なる。全ての実施形態が、これらの全ての利点を提供するわけではなく、全ての実施形態が、本発明によって達成可能な全ての目的を達成するわけでもない。本明細書に添付された特許請求の範囲の一部または手続き遂行中に補正された特許請求の範囲の一部が、記載された本発明の全てではない一部の実施形態をカバーすることがある。
【００４０】
本発明および本発明の利点を詳細に説明したが、添付の特許請求の範囲によって定義された本発明の趣旨および範囲から逸脱することなく、本明細書に記載された実施形態に、さまざまな変更、置換および改変を加えることができることを理解すべきである。例えば、上記の実施形態では電子ビームの使用を説明したが、他の実施形態は、電子ビームまたはイオン・ビームを使用することができる。上記の実施形態は、中空シュラウド支持体の内側のガス導管を使用するが、シュラウド支持体の外側にガス導管を置くこともできる。同様に、シュラウドをバイアスするための電気接触および／または増幅された２次粒子電流を検出するための電気接触は、シュラウド支持体自体によって実施し、または別個の導体によって実施することができる。
【００４１】
本発明のいくつかの実施形態は、真空室内の加工物表面にガスを供給する装置であって、
加工物のシュラウド包囲領域にガスを集中するガス集中構造体であり、加工物へ向かうビームを通す開口を有し、シュラウド包囲領域が加工物の全体よりも小さく、開口が、開口を通したガス・コンダクタンスを制限するのに十分に小さいガス集中構造体と、
ガス集中構造体を支持するガス集中構造体支持部材であり、加工物上の関心領域の近くにガスを集中するようにガス集中構造体を配置するために移動可能なガス集中構造体支持部材と、
ガス集中構造体内の空間にガスを供給するガス導管と、
集中したガスのイオン化を引き起こすための電気バイアスを提供する陽極と
を備える装置を含む。
【００４２】
いくつかの実施形態では、陽極が、ガス集中構造体の一部分または全体を含む。
【００４３】
いくつかの実施形態では、陽極が、ガス集中構造体とは別個の電極を含む。
【００４４】
いくつかの実施形態では、導管が、ガス集中構造体内の空洞（ｈｏｌｌｏｗ）を含む。
【００４５】
いくつかの実施形態では、ガス集中構造体支持部材が、使用しないときにシュラウドを加工物から退ける長手軸に沿った運動を提供するガス集中構造体支持部材駆動機構を備える。
【００４６】
いくつかの実施形態は、シュラウドを衝打している電子を検出する回路を含み、それらの電子が検出器信号を構成する。
【００４７】
いくつかの実施形態では、ガス集中構造体の形状が、錐体の一部分、球体の一部分または円柱の少なくとも一部分を含む。
【００４８】
いくつかの実施形態では、ガス集中構造体の少なくとも一部分が中空であり、ガス導管からのガスを加工物に向かって導くために導管と連通している。
【００４９】
本発明のいくつかの実施形態は、
荷電粒子源と、
加工物真空室と、
荷電粒子源からの荷電粒子を、加工物真空室内の加工物に焦束させる集束レンズと
を備える荷電粒子ビーム・システムを含む。
【００５０】
いくつかの実施形態は、真空室内の試料表面にガスを供給する上記段落のいずれかに基づく装置を含む。
【００５１】
いくつかの実施形態では、この荷電粒子ビーム・システムが電子源を備える。
【００５２】
いくつかの実施形態では、シュラウド内のより高い圧力を維持するために、シュラウドと加工物の表面との間に、ガスの流れが制限された領域を提供するように、加工物の表面の上方に配置されるようシュラウドが適合されている。
【００５３】
いくつかの実施形態では、この荷電粒子ビーム・システムが、ステージ直径を有する試料ステージを含み、加工物に最も近づくように適合されたシュラウドの部分が、加工物のシュラウド包囲領域の直径に一致するシュラウド直径を有し、シュラウド直径が、ステージ直径の半分よりも小さい。
【００５４】
本発明のいくつかの実施形態は、荷電粒子ビーム・システムを動作させて試料真空室内の加工物を処理する方法であって、
加工物表面全体よりも小さい加工物表面の一部分に、試料真空室内の他の位置のガス集中よりも高いガス集中を提供すること、および
加工物に向かって荷電粒子ビームを導くこと
を含み、この荷電粒子ビームが集中したガス中を通過し、この方法がさらに、
荷電粒子ビームの衝撃によって発生した２次電子を陽極に向かって引き寄せること
を含み、これらの２次電子が、集中したガス中にイオン化カスケード電流を生じさせ、この方法がさらに、
このイオン化カスケード電流を陽極において検出して、画像を形成すること
を含む方法を含む。
【００５５】
いくつかの実施形態では、加工物表面全体よりも小さい加工物表面の一部分に、試料真空室内の他の位置のガスの集中よりも高いガスの集中を提供することを含む方法が、ガスを集中するシュラウドを提供することを含み、このシュラウドが、荷電粒子ビームを通す開口を有する。
【００５６】
いくつかの実施形態では、この方法が、イオン化によるイオン化されたガスまたは電子を使用して、加工物の非導電性部分上の電荷を中和することをさらに含む。
【００５７】
いくつかの実施形態では、この方法が、加工物の一部分の上方にシュラウドを、シュラウドと加工物の間のガス流が、シュラウドの内部と加工物から離れた加工物真空室との間の１０倍の圧力差を維持するのに十分に小さくなるように配置することをさらに含む。
【００５８】
いくつかの実施形態では、シュラウドが加工物と接触する。
【００５９】
いくつかの実施形態では、シュラウドで包囲された領域内から加工物真空室の残りの部分へのガス・コンダクタンスを制限するため、シュラウドが、加工物から上方へ０．５ｍｍ未満のところに配置される。
【００６０】
本発明のいくつかの実施形態は、真空室内の加工物表面にガスの集中を提供する装置であって、
真空室内の加工物表面の一部分にガスの集中を提供するガス集中器であり、それらの部分が表面全体よりも小さいガス集中器と、
ガス集中器にガスを供給するガス導管と、
試料表面に対する電気バイアスを提供する陽極であり、電子を加速させて、集中したガス中でガス・カスケード増幅を提供する陽極と
を備える装置を含む。
【００６１】
いくつかの実施形態では、陽極が、ガス集中器の一部分を含む。
【００６２】
いくつかの実施形態では、陽極が、ガス集中器とは別個の電極を含む。
【００６３】
いくつかの実施形態では、ガス集中器が、１次ビームを通す開口を有するシュラウドを含む。
【００６４】
いくつかの実施形態では、ガス集中器がシュラウドを含まない。
【００６５】
さらに、本出願の範囲が、本明細書に記載されたプロセス、機械、製造、組成物、手段、方法およびステップの特定の実施形態に限定されることは意図されていない。当業者なら本発明の開示から容易に理解するように、本明細書に記載された対応する実施形態と実質的に同じ機能を実行し、または実質的に同じ結果を達成する既存のまたは今後開発されるプロセス、機械、製造、組成物、手段、方法またはステップを、本発明に従って利用することができる。したがって、添付の特許請求の範囲は、その範囲内に、このようなプロセス、機械、製造、組成物、手段、方法またはステップを含むことが意図されている。
【図１】
2015524987.tif 000003
【図２】
2015524987.tif 000004
【図３】
2015524987.tif 000005
【図４】
2015524987.tif 000006
【図５】
2015524987.tif 000007
【図６】
2015524987.tif 000008
【手続補正書】
【提出日】平成27年3月31日(2015.3.31)
【手続補正１】
【補正対象書類名】特許請求の範囲
【補正対象項目名】全文
【補正方法】変更
【補正の内容】
【特許請求の範囲】
【請求項１】
真空室内の加工物表面にガスを供給する装置であって、
前記加工物のシュラウド包囲領域に前記ガスを集中するガス集中構造体であり、前記加工物へ向かうビームを通す開口を有し、前記シュラウド包囲領域が前記加工物の全体よりも小さく、前記開口が、前記開口を通した前記ガスのコンダクタンスを制限するのに十分に小さい、ガス集中構造体と、
前記ガス集中構造体を支持するガス集中構造体支持部材であり、前記加工物上の関心領域の近くに前記ガスを集中するように前記ガス集中構造体を配置するために移動可能なガス集中構造体支持部材と、
前記ガス集中構造体内の空間に前記ガスを供給するガス導管と、
集中した前記ガスのイオン化を引き起こし、前記イオン化により発生した正イオンを前記加工物表面に向かわせ、前記イオン化により増幅された２次電子信号を検出するように構成された陽極と
を備える装置。
【請求項２】
前記陽極が、前記ガス集中構造体の一部分または全体を含む、請求項１に記載の装置。
【請求項３】
前記陽極が、前記ガス集中構造体とは別個の電極を含む、請求項１に記載の装置。
【請求項４】
前記導管が、前記ガス集中構造体内の空洞を含む、請求項１または２に記載の装置。
【請求項５】
前記ガス集中構造体支持部材が、使用しないときに前記ガス集中構造体を前記加工物から退ける長手軸に沿った運動を提供するガス集中構造体支持部材駆動機構を備える、請求項１から４のいずれか一項に記載の装置。
【請求項６】
前記陽極を衝打している電子を検出する回路をさらに備え、前記電子が検出器信号を構成する、請求項１から５のいずれか一項に記載の装置。
【請求項７】
前記ガス集中構造体の形状が、錐体の一部分、球体の一部分または円柱の少なくとも一部分を含む、請求項１から６のいずれか一項に記載の装置。
【請求項８】
前記ガス集中構造体の少なくとも一部分が中空であり、前記導管からのガスを前記加工物に向かって導くために前記導管と連通している、請求項１から７のいずれか一項に記載の装置。
【請求項９】
荷電粒子源と、
加工物真空室と、
前記荷電粒子源からの荷電粒子を、前記加工物真空室内の加工物に焦束させる集束レンズと、
前記加工物真空室内の試料表面にガスを供給する請求項１から８のいずれか一項に記載の装置と
を備える荷電粒子ビーム・システム。
【請求項１０】
前記荷電粒子源が電子源を含む、請求項９に記載の荷電粒子ビーム・システム。
【請求項１１】
前記シュラウド内のより高い圧力を維持するために、前記シュラウドと前記加工物の表面との間に、ガスの流れが制限された領域を提供するように、前記加工物の表面の上方に配置されるよう前記シュラウドが適合されている、請求項９または１０に記載の荷電粒子ビーム・システム。
【請求項１２】
ステージ直径を有する試料ステージをさらに備え、前記加工物に最も近づくように適合された前記シュラウドの部分が、前記加工物の前記シュラウド包囲領域の直径に一致するシュラウド直径を有し、前記シュラウド直径が、前記ステージ直径の半分よりも小さい、請求項９から１１のいずれか一項に記載の荷電粒子ビーム・システム。
【請求項１３】
前記ガス集中構造体が、集束した前記荷電粒子のビームを通す開口を含む、請求項９から１２のいずれか一項に記載の荷電粒子ビーム・システム。
【請求項１４】
前記ガス集中構造体が、集束した前記荷電粒子のビームを遮断しないように配置された、請求項９から１３のいずれか一項に記載の荷電粒子ビーム・システム。
【請求項１５】
真空室内の加工物表面にガスの集中を提供する装置であって、
真空室内の加工物表面の一部分にガスの集中を提供するガス集中器であり、前記部分が前記加工物表面全体よりも小さい、ガス集中器と、
前記ガス集中器に前記ガスを供給するガス導管と、
前記ガスの集中のイオン化を引き起こし、前記イオン化により発生した正イオンを前記加工物表面に向かわせ、前記イオン化により増幅された２次電子信号を検出するように構成された陽極と
を備える装置。
【請求項１６】
前記陽極が、少なくとも前記ガス集中器の一部分を含む、請求項１５に記載の装置。
【請求項１７】
前記陽極が、前記ガス集中器とは別個の電極を含む、請求項１５に記載の装置。
【請求項１８】
前記ガス集中器が、荷電粒子ビームを通す開口を有するシュラウドを含む、請求項１５から１７のいずれか一項に記載の装置。
【請求項１９】
前記ガス集中器がシュラウドを含まない、請求項１５から１７のいずれか一項に記載の装置。
【請求項２０】
荷電粒子ビーム・システムを動作させて試料真空室内の加工物を処理する方法であって、
前記加工物の表面全体よりも小さい前記加工物の表面の一部分に、前記試料真空室内の他の位置のガスの集中よりも高いガスの集中を提供すること、
前記加工物に向かって荷電粒子ビームを導き、前記荷電粒子ビームが集中した前記ガス中を通過すること、
前記荷電粒子ビームの衝撃によって発生した２次電子を陽極が引き寄せるように、前記陽極に電圧を印加することであり、前記２次電子が、集中した前記ガス中にイオン化カスケードを生じさせること、
前記イオン化カスケードによって発生した正イオンで前記加工物の一部分上の電荷を中和すること、および
前記イオン化カスケードによって増幅された電流を、前記陽極を使用して検出して、画像を形成すること
を含む方法。
【請求項２１】
前記加工物の表面全体よりも小さい前記加工物の表面の前記一部分に、前記試料真空室内の他の位置のガスの集中よりも高いガスの集中を提供することが、前記ガスを集中するシュラウドを提供することを含み、前記シュラウドが、前記荷電粒子ビームを通す開口を有する、請求項２０に記載の方法。
【請求項２２】
前記イオン化カスケードによって発生した正イオンで前記加工物の一部分上の電荷を中和することが、イオン化されたガスを使用して、前記加工物の非導電性部分上の電荷を中和することを含む、請求項２０または２１に記載の方法。
【請求項２３】
前記加工物の前記一部分の上方にシュラウドを、前記シュラウドと前記加工物の間のガス流が、前記シュラウドの内部と前記加工物から離れた前記試料真空室との間の少なくとも１０倍の圧力差を維持するのに十分に小さくなるように配置することをさらに含む、請求項２０から２２のいずれか一項に記載の方法。
【請求項２４】
前記シュラウドが前記加工物と接触する、請求項２３に記載の方法。
【請求項２５】
シュラウドで包囲された領域内から前記試料真空室の残りの部分へのガス・コンダクタンスを制限するため、前記シュラウドが、前記加工物から上方へ０．５ｍｍ未満のところに配置された、請求項２３に記載の方法。
【国際調査報告】
2015524987.tif 000009
2015524987.tif 000010